【手続補正書】
【提出日】平成20年1月17日(2008.1.17)
【手続補正１】
【補正対象書類名】特許請求の範囲
【補正対象項目名】全文
【補正方法】変更
【補正の内容】
【特許請求の範囲】
【請求項１】
ａ）インジェクタ装置と、
ｂ）画像形成装置と、
ｃ）前記インジェクタ装置および前記画像形成装置に作用的に接続された共通制御コンソールであって、前記共通制御コンソールが、前記インジェクタ装置および前記画像形成装置へデータを送りこれらからデータを受け取ることができ、それによって、前記共通制御コンソールが、前記インジェクタ装置および前記画像形成装置の操作を制御することができる、個人に造影剤を注入し画像形成するシステム。
【請求項２】
前記共通制御コンソールは、前記インジェクタ装置および前記画像形成装置からのデータを記録するための記憶媒体を含む請求項１に記載のシステム。
【請求項３】
前記共通制御コンソールは、ディスプレイユニットおよび入力手段を含む請求項１又は２に記載のシステム。
【請求項４】
前記ディスプレイユニットは、コンピュータモニタ、ＬＣＤディスプレイ、プラズマディスプレイまたはテレビモニタである請求項３に記載のシステム。
【請求項５】
前記共通制御コンソールは、単一のディスプレイユニットに同時に表示することができるインジェクタ装置制御インタフェースおよび画像形成装置制御インタフェースを含む請求項３に記載のシステム。
【請求項６】
前記インジェクタ装置制御インタフェースは前記ディスプレイユニットの第１の領域に表示され、画像形成装置制御ユニットは前記ディスプレイユニットの第２の領域に表示される請求項５に記載のシステム。
【請求項７】
前記共通制御コンソールは、インジェクタ装置アプリケーションおよび別個の画像形成装置アプリケーションを含み、前記インジェクタ装置アプリケーションおよび前記画像形成装置アプリケーションを同時に走らせることができる請求項５又は６に記載のシステム。
【請求項８】
前記インジェクタ装置アプリケーションは、前記画像形成装置アプリケーションと通信し、データおよび／またはファイルを共有することができる請求項７に記載のシステム。
【請求項９】
前記画像形成装置アプリケーションは、前記インジェクタ装置アプリケーションと通信し、それによって、前記画像形成装置アプリケーションは、前記インジェクタ装置アプリケーションと、データおよび／またはファイルを共有することができる請求項７又は８に記載のシステム。
【請求項１０】
前記共通制御コンソールは、前記インジェクタ装置および前記画像形成装置を操作することができるオペレーティングシステムを有するコンピュータシステムを備える請求項１〜９のいずれかに記載のシステム。
【請求項１１】
前記インジェクタ装置、前記画像形成装置、および前記共通制御コンソールは、ネットワークを通して作用的に接続される請求項１〜１０のいずれかに記載のシステム。
【請求項１２】
前記共通制御コンソールは、前記注入装置および前記画像形成装置を操作することができる共通ソフトウェアアプリケーションを含む請求項１〜１１のいずれかに記載のシステム。
【請求項１３】
前記共通ソフトウェアアプリケーションは、前記注入装置および前記画像形成装置用の記憶された操作パラメータを含む請求項１２に記載のシステム。
【請求項１４】
前記注入装置の操作パラメータは、流量、媒体、容量、圧力、フェーズ、ＫＶＯ、一時停止、ホールド、遅延、開始および停止からなる群から選択される操作パラメータを含む請求項１３に記載のシステム。
【請求項１５】
前記画像形成装置の操作パラメータは、管電流、管電圧、視準、ピッチ、デテクタ構成、回転、一時停止、スキャン遅延、開始および停止からなる群から選択される操作パラメータを含む請求項１３または１４に記載のシステム。
【請求項１６】
前記共通ソフトウェアアプリケーションは、
前記共通制御コンソールに形成され、記憶され、呼び出されることができる複数の注入装置プロトコルであって、前記注入装置プロトコルは、前記注入装置を操作するための操作パラメータを備える、複数の注入装置プロトコルと、
前記共通制御コンソールに形成され、記憶され、呼び出されることができる複数の画像形成装置プロトコルであって、前記画像形成装置プロトコルは、前記画像形成装置を操作するための操作パラメータを備える、複数の画像形成装置プロトコルと、
前記共通制御コンソールに形成され、記憶され、呼び出されることができる複数の組み合わされたプロトコルであって、前記組み合わされたプロトコルは、前記注入装置および前記画像形成装置を操作するための操作パラメータを備える、複数の組み合わされたプロトコルと
の内の一つ以上を有するデータベースを含む請求項１３〜１５のいずれかに記載のシステム。
【請求項１７】
前記インジェクタ装置および前記共通制御コンソールに作用的に接続された処理ユニットを含み、ここで、前記処理ユニットは、前記インジェクタ装置へデータを送りこれからデータを受け取ることができ、前記共通制御コンソールは、前記処理ユニットおよび前記画像形成装置にデータを送りこれらからデータを受け取ることができる請求項１に記載のシステム。
【請求項１８】
前記処理ユニットは、前記注入装置に配置される請求項１〜１７のいずれかに記載のシステム。
【請求項１９】
前記処理ユニットは、オペレーティングシステムを含み、該オペレーティングシステムは、当該オペレーティングシステム上において動作することができるリモートソフトウェアを有する請求項１７又は１８に記載のシステム。
【請求項２０】
前記リモートソフトウェアは複数の記憶されたプロトコルを含み、前記プロトコルは前記注入装置を操作するための操作パラメータを備える請求項１９に記載のシステム。
【請求項２１】
前記リモートソフトウェアを使用して前記注入装置を制御することができ、前記ソフトウェアは、ＰＰＲＥＭＯＴＥソフトウェアモジュール、ディスプレイグラフィックソフトウェアモジュール、ＯＤＢＣデータベースソフトウェアモジュール、ＰＰＣＯＭＭソフトウェアモジュール、ＰＰＲＥＳＥＴソフトウェアモジュール、およびＧＩＮＡ．ＤＬＬソフトウェアモジュールを含む請求項１９または２０に記載のシステム。
【請求項２２】
前記ＰＰＲＥＭＯＴＥソフトウェアモジュールは、インジェクタデータ変数を記憶し、管理し且つ数学的に操作するためのプログラムルーチンを有する実行可能なプログラムを備える請求項２１に記載のシステム。
【請求項２３】
前記ＰＰＲＥＭＯＴＥソフトウェアは、前記ＯＤＢＣデータベースファイルを読み取り書き込むプログラムルーチンをさらに備える請求項２２に記載のシステム。
【請求項２４】
前記制御コンソールは前記画像形成装置を操作するために複数の記憶されたプロトコルを含み、前記処理ユニットは前記注入装置を操作するために複数の記憶されたインジェクタプロトコルを含み、前記共通制御コンソールは、前記画像形成プロトコルおよび前記注入プロトコルを選択的に検索し走らせることができ、それによって前記共通制御コンソールは前記注入装置および前記画像形成装置を同時に操作することができる請求項１７に記載のシステム。
【請求項２５】
既存の画像形成制御コンソールを共通制御コンソールに修正するための機器であって、それによって前記共通制御コンソールがインジェクタ装置および画像形成装置を操作することができる機器において、前記機器は、
インジェクタ装置と、
前記インジェクタ装置を操作するためのリモートソフトウェアアプリケーションと
を備え、
前記リモートソフトウェアは画像形成制御コンソールを走らされることができ、それによって前記共通制御コンソールは前記インジェクタ装置を遠隔式に操作することができる、機器。
【請求項２６】
前記リモートソフトウェアは、前記インジェクタ装置を操作するためのモジュールを含む請求項２５に記載の機器。
【請求項２７】
前記モジュールは、ＰＰＲＥＭＯＴＥソフトウェアモジュール、ディスプレイグラフィックソフトウェアモジュール、ＯＤＢＣデータベースソフトウェアモジュール、ＰＰＣＯＭＭソフトウェアモジュール、ＰＰＲＥＳＥＴソフトウェアモジュール、およびＧＩＮＡ．ＤＬＬソフトウェアモジュールを含む請求項２６に記載の機器。
【請求項２８】
前記リモートソフトウェアは、媒体記憶装置に記憶される請求項２６に記載の機器。
【請求項２９】
ａ）注入装置制御インタフェースと、
ｂ）画像形成装置制御インタフェースと、
ｃ）前記注入装置制御インタフェースおよび前記画像形成装置制御インタフェースを表示するように構成されたディスプレイユニットと
を備える、注入装置および画像形成装置を操作する機器。
【請求項３０】
前記注入装置制御インタフェースおよび前記画像形成装置制御インタフェースは、前記ディスプレイユニットに同時に表示されることができる請求項２９に記載の機器。
【請求項３１】
前記ディスプレイユニットは、
前記注入装置制御インタフェースを表示するように構成された第１のディスプレイ領域と、
前記画像形成装置制御インタフェースを表示するように構成された第２のディスプレイ領域と
を備える請求項２９又は３０に記載の機器。
【請求項３２】
前記ディスプレイユニットは画像形成装置ディスプレイを有し、
前記インジェクタ制御装置は、
インジェクタ装置を操作することができる実行可能なプログラムモジュールを含む処理ユニットと、
インジェクタ装置へデータを送りこれからデータを受け取るための、且つ、画像形成装置ディスプレイへデータを送りこれからデータを受け取るための、複数の入力および出力と
を含む、画像形成装置ディスプレイに作用的に接続されるように適合されたインジェクタ制御装置を備える請求項２９〜３１のいずれかに記載の機器。
【請求項３３】
前記インジェクタ制御装置と前記画像形成装置ディスプレイとの間の接続は、ワイヤ式であるかワイヤレスであるかまたはそれらの組み合わせである請求項３２に記載の機器。
【請求項３４】
前記画像形成装置ディスプレイは、前記インジェクタ制御装置を経由して遠隔式にインジェクタ装置を操作するように構成される共通制御コンソールを備える請求項３２に記載の機器。
【請求項３５】
ａ）注入装置制御インタフェースと相互作用するステップと、
ｂ）画像形成装置制御インタフェースと相互作用するステップと、
ｃ）前記注入装置制御インタフェースおよび前記画像形成装置制御インタフェースを共通ディスプレイユニットに表示するステップと
を含む、医療機器を操作する方法。
【請求項３６】
前記注入装置制御インタフェースおよび前記画像形成装置制御インタフェースは、前記ディスプレイユニットに同時に表示される請求項３５に記載の方法。
【請求項３７】
前記表示するステップは、
ｉ）前記注入装置制御インタフェースを第１のディスプレイ領域に表示するステップと、
ｉｉ）前記画像形成装置制御インタフェースを第２のディスプレイ領域に表示するステップと
を含む請求項３５又は３６に記載の方法。
【請求項３８】
ｄ）共通制御コンソールからインジェクタ装置および画像形成装置を操作するステップをさらに含む請求項３５〜３７のいずれかに記載の方法。
【請求項３９】
ｅ）前記共通制御コンソールから前記インジェクタ装置へ操作指令を送り、任意に前記インジェクタ装置から共通制御コンソールへのデータを受け取るステップと、
ｆ）前記共通制御コンソールから前記画像形成装置へ操作指令を送るステップと、
ｇ）前記インジェクタ装置で造影剤を被検者内に注入するステップと、
ｇ）前記被検者を前記画像形成装置でスキャンするステップと、
ｈ）前記被検者の複数の内部画像を獲得するステップと、
ｉ）前記画像を前記画像形成装置から前記共通制御コンソールへ送るステップと
をさらに含む請求項３８に記載の方法。
【請求項４０】
前記インジェクタ装置および前記画像形成装置は、共通インタフェースを共有する請求項３５〜３９のいずれかに記載の方法。
【請求項４１】
前記共通制御コンソールは、前記インジェクタ装置および前記画像形成装置を操作するための操作パラメータを記憶するためのデータベースを含む請求項３８に記載の方法。
【請求項４２】
前記データベースは、前記共通制御コンソールによって検索することが可能である複数のプロトコルを含み、前記プロトコルは、前記インジェクタ装置、前記画像形成装置を操作するための予め記憶された操作パラメータ、または、前記インジェクタ装置および前記画像形成装置を同時に操作するための組み合わされたプロトコルを含む請求項４１に記載の方法。
【請求項４３】
前記インジェクタ装置または前記画像形成装置へ指令を送る前記ステップは、
前記データベースからプロトコルを選択し検索するステップと、
前記共通制御コンソールに前記プロトコルをロードするステップと、
前記プロトコルを開始するステップであって、それによって前記プロトコルは前記インジェクタ装置、前記画像形成装置または両方の装置へ指令を送る、ステップと
をさらに含む請求項４２に記載の方法。
【請求項４４】
前記インジェクタ装置制御インタフェースおよび前記画像形成装置制御インタフェースは、前記共通制御コンソール上を同時に走っている請求項３８に記載の方法。